(57)【要約】【課題】デジタルカメラにおける操作性の良いインタフェースを提供すること。【解決手段】デジタルカメラにおける入力制御を機能強化したユーザインタフェース、およびこれに関連する使用方法を提供する。本入力制御を起動すると、ユーザは、格納された複数のデジタル画像における、ある特定のデジタル画像を個々に表示させることができ、不連続に他のデジタル画像へとジャンプさせることができる。また、本ユーザインタフェースを起動すると、さらにユーザは、ある特定のデジタル画像をズームイン、ズームアウトさせることができる。【選択図】図１
2004153832.tif 000002
【特許請求の範囲】
【請求項１】
デジタルカメラであって、
光学画像を導く光学系と、
該光学画像を変換画像に変換するフォトセンサと、
該変換画像を受取り複数の変換画像を蓄積するメモリと、
該メモリおよび前記フォトセンサと通信するプロセッサと、
該プロセッサと通信し、前記複数の変換画像を視覚的に提示する出力表示装置と、
前記プロセッサと通信し、前記複数の変換画像の閲覧を起動する入力制御装置と、
前記メモリに格納され、前記プロセッサにより前記入力制御装置の起動に応答して実行され、前記複数の変換画像を連続して表示するために該複数の変換画像を連続的にスクロールするスクロール命令を含み、該複数の変換画像のうちの別の変換画像を表示するために該複数の変換画像のうちの１つの変換画像から該別の変換画像に不連続にジャンプするジャンプ命令をさらに含む、プログラムコードと、
を備えるデジタルカメラ。
【請求項２】
デジタルカメラにおいて格納されたデジタル画像の閲覧方法であって、
複数の格納されたデジタル画像のうちの１つのデジタル画像を表示するステップと、
該１つのデジタル画像から別のデジタル画像に不連続にジャンプするステップであって、該別のデジタル画像を表示する、前記ジャンプするステップと、
を含むデジタル画像の閲覧方法。
【請求項３】
前記別のデジタル画像から前記１つのデジタル画像に戻るステップであって、該１つのデジタル画像が再表示される、前記戻るステップと、
をさらに含む請求項２記載のデジタル画像の閲覧方法。
【請求項４】
前記不連続にジャンプするステップは、一対の対向方向入力コントロールを起動するステップを含む請求項２記載のデジタル画像の閲覧方法。
【請求項５】
前記起動するステップは、上ナビゲーションボタンと下ナビゲーションボタンのうちの一方を起動するステップを含む請求項４記載のデジタル画像の閲覧方法。
【請求項６】
前記起動するステップは、少なくとも４方向の方向機能を有するロッカースイッチを押下することにより、前記ナビゲーションボタンを起動するステップを含む請求項５記載のデジタル画像の閲覧方法。
【請求項７】
デジタルカメラであって、
光学画像を導く光学系と、
該光学画像を変換画像に変換するフォトセンサと、
該変換画像を受取り複数の変換画像を蓄積するメモリと、
該メモリおよび前記フォトセンサと通信するプロセッサと、
該プロセッサと通信し、前記複数の変換画像を視覚的に提示する出力表示装置と、
前記プロセッサと通信し、前記複数の変換画像の閲覧を起動する入力制御装置と、
前記メモリに格納され、前記プロセッサにより前記入力制御装置の起動に応答して実行され、前記複数の変換画像を連続して表示するために該複数の変換画像を連続的にスクロールするスクロール命令を含み、該変換画像の少なくとも一部を拡大および縮小するズーム命令をさらに含む、プログラムコードと、
を備えるデジタルカメラ。
【請求項８】
デジタルカメラにおける画像の閲覧方法であって、
複数の画像のうちの１つの画像を表示するステップと、
一対の対向方向入力コントロールを起動することにより該１つの画像をズームするステップと、
を含む画像の閲覧方法。
【請求項９】
前記起動するステップは、上ナビゲーションボタンと下ナビゲーションボタンとのうちの一方を起動するステップを含む請求項８記載の画像の閲覧方法。
【請求項１０】
前記起動するステップは、ロッカースイッチを押下することにより前記ナビゲーションボタンを起動するステップを含む請求項９記載の画像の閲覧方法。
【発明の詳細な説明】
【技術分野】
【０００１】
本発明は、格納された画像を閲覧可能なデジタルカメラに関する。
【０００２】
［関連出願の相互参照］
本発明は、Stavely等による、２００１年１１月２日に出願され「IMAGE BROWSING USER INTERFACE APPARATUS AND METHOD」と題された係属中の米国特許出願第１０／００５４０７号に関連する。本発明はまた、Dow等による、２００２年１月１８日に出願され「APPLIANCE AND METHOD FOR NAVIGATING AMONG MULTIPLE CAPTURED IMAGES AND FUNCTIONAL MENUS」と題された係属中の米国特許出願公開第２００２／００６３９０２号にも関連する。
【背景技術】
【０００３】
ユーザインタフェース設計の改良により、すべての人が（若者も老人も）、デジタルカメラ等の複雑な装置を迅速にかつ容易に操作することができるようになった。多くのデジタルカメラには、ビデオ画面およびコントロール等のユーザインタフェース機能が設けられている。ビデオ画面は、通常、デジタルカメラの背面に位置する液晶ディスプレイ（ＬＣＤ）であり、指示、ライブ画像および格納された画像等のフィードバック情報をユーザに表示するために使用される。コントロールは、通常、デジタルカメラの上面、側面、正面または背面に位置する、押しボタン、スイッチおよびダイアルであり、デジタルカメラをオンおよびオフするため、画像取込機能を制御するため、格納された画像をナビゲートするため、および動作モードを切替えるために、使用される。デジタルカメラが通常動作する、起動モード、メニューモード、取込モードおよび閲覧モードを含むいくつかのモードがある。
【特許文献１】米国特許出願第１０／００５４０７号
【特許文献２】米国特許出願公開第２００２／００６３９０２号
【発明の開示】
【発明が解決しようとする課題】
【０００４】
デジタルカメラテクノロジの進歩により、カメラ本体のサイズが縮小されるとともに、画像記憶容量が増大した。しかしながら、残念なことに、デジタルカメラ本体の小型化により、通常設けられる多くの制御ボタンおよびスイッチを配置するための表面積が非常に小さくなる。かかるコントロールは、ある動作モードでは何らかの機能を提供するが、別の動作モードでは全く機能を提供しないことが多い。たとえば、４ウェイロッカースイッチは、メニューモードでは上・下・左・右機能を提供する場合があるが、閲覧モードでは部分的に無用である場合がある。さらに、メモリ容量の大型化により、ユーザが閲覧モードで苦心してスクロールしなければならない格納された画像が何百枚ではないとしても非常に多くなる。非常に多くのキーストロークが必要であることにより、および各画像を連続して再生するために必要な時間により、多数の画像を連続してスクロールすることは、厄介で時間がかかる可能性がある。
【課題を解決するための手段】
【０００５】
本発明の一実施形態は、複数の画像を表示するディスプレイと、ディスプレイと通信するナビゲーションコントロールと、を有するデジタルカメラユーザインタフェースを備えてもよい。ナビゲーションコントロールは、対向方向モードの第１および第２の対を含む。対向方向モードのうちの第１の対は、複数の画像を連続してスクロールするために提供される。対向方向モードのうちの第２の対は、以下の機能のうちの少なくとも１つのために提供される。すなわち、複数の画像のズーム機能を制御することと、複数の画像のうちの１つの画像から複数の画像のうちの別の画像に不連続でジャンプすることであって、それにより、その別の画像を表示することである。
【０００６】
本発明の他の実施形態は、デジタルカメラにおいて格納された画像を閲覧する方法を含んでもよい。本方法は、複数の格納された画像のうちの１つの画像を表示することと、複数の格納された画像をナビゲートすることとを含む。ナビゲートすることは、以下のうちの少なくとも１つを含む。すなわち、複数の格納された画像のうちの１つの画像から別の画像にジャンプすることであって、それによりその別の画像が表示され、一対の対向方向入力コントロールを起動することにより、１つの画像をズームすることである。
【発明を実施するための最良の形態】
【０００７】
図面に概略的に示すように、本発明の例示的な実施形態によるデジタルカメラとそれを動作させる方法とを提示する。改良されたデジタルカメラの動作は、既存のコントロールの機能を最適化する画像ブラウジングユーザインタフェースを提供することにより容易になる。たとえば、個々のデジタル画像間の迅速かつ容易なナビゲーションとそれらの表示とを、格納されたデジタル画像をスクロールしそれらの間を不連続にジャンプする画像ブラウジングユーザインタフェースによって容易にしてもよい。代替的に、異なる動作モードで使用される２つ以上の異なるコントロールの機能をコントロールの１つのセットに組み合わせてもよく、それにより、より小さいデジタルカメラ設計に適応する。「画像」および「デジタル画像」という用語は、以下の説明を通して交換可能に使用する。
【０００８】
本発明は、Stavely等による、２００１年１１月２日に出願され「IMAGE BROWSING USER INTERFACE APPARATUS AND METHOD」と題された係属中の米国特許出願第１０／００５，４０７号に関連する。本発明はまた、Dow等による、２００２年１月１８日に出願され「APPLIANCE AND METHOD FOR NAVIGATING AMONG MULTIPLE CAPTURED IMAGES AND FUNCTIONAL MENUS」と題された係属中の米国特許出願公開第２００２／００６３９０２号にも関連する。
【０００９】
ここで、図面を詳細に参照すると、図１には、本発明の他の例示的な実施形態による方法によって使用される、本発明の例示的な実施形態によるデジタルカメラ１０のブロック図が示されている。デジタルカメラ１０は、ビデオおよび／または静止画像生成が可能であり、概して、データバス１６を介してデジタルカメラ１０の他のコンポーネントと通信するフォトセンサ１４と光で通じている光学系１２を有する。データバス１６は、フォトセンサ１４と、コントローラ、マイクロプロセッサまたはプロセッサ１８と、メモリ２０と、入力コントロール２２と、ディスプレイ２４と、通信インタフェース２６と、の間の通信を提供する。
【００１０】
光学系１２は、レンズまたは一連のレンズ、ビューファインダ、絞り、シャッタおよび同様のもの（図示せず）を含むことができる。光学系１２またはその一部は、デジタルカメラ１０の一体部分であることができ、あるいは別個に取付けることができる。いずれの場合も光学系１２を使用して、選択された被写体シーン、もしくはエネルギー線が放出するかまたは反射する視界を、集束させ、分離し、またはフレーミングすることにより、放射エネルギーをデジタルカメラ１０内に向ける。言換えれば、光学系１２は、光線が受取られ、光線がデジタルカメラ１２の内部に移動しフォトセンサ１４に突当る際に通過する、コンジットを提供する。
【００１１】
フォトセンサ１４は、光学系１２によってそこに突当る光学画像を、その突当る光学画像を表す生デジタルデータまたは変換画像に変換する。このデジタルデータを、プロセッサ１８によって画質向上させることができ、データバス１６を介してメモリ２０に格納し、その後ディスプレイ２４において表示画像を生成するために使用することもできる。デジタルデータ、デジタル画像データ、デジタル画像、変換画像等の句は、同義語であると考えられ、本明細書では交換可能に使用する。通常の実現では、フォトセンサ１４は、電荷結合素子（ＣＣＤ）、相補型金属酸化膜半導体（ＣＭＯＳ）等を含む。フォトセンサ１４はさらに、アナログ・デジタル変換器（Ａ／Ｄ）、ゲインコントロールおよびデジタル信号プロセッサ（ＤＳＰ）（図示せず）を含むことができる。このため、フォトセンサという用語は、ＣＣＤ、ＣＭＯＳ等と同じかまたは同様の機能を実行することができるいかなるデバイスをも包含するように広く解釈されるべきである。
【００１２】
データバス１６は、多重ケーブルシステム、個別バス、多重制御ライン等であることができ、プロセッサ１８を含む、デジタルカメラ１０のあらゆるコンポーネント間で制御、タイミングおよびデータ信号を転送するために使用される。プロセッサ１８は、マイクロプロセッサ（ＭＰＵ）であることも、同様のタイプの中央処理装置（ＣＰＵ）であることもできる。メモリ２０は、限定されないが、キャッシュ、ＲＯＭ、ＰＲＯＭ、ＥＰＲＯＭ、ＥＥＰＲＯＭ、フラッシュ、ＳＲＡＭ、ＤＲＡＭ等を含むことができる。メモリ２０は、単一メモリデバイスかまたは複数のメモリデバイスを含むことができる。また、メモリ２０を使用して、カメラオペレーティングシステム、プログラムコードまたはオペレーティングソフトウェア、入出力装置ドライバ、ユーザ指示、デジタル画像、メタデータ等、いかなるデジタルカメラデータを格納することができる。このため、メモリという用語は、広く、かつデジタルカメラ１０内の１つのタイプのメモリまたは１つのロケーションにのみ帰属するものではない。
【００１３】
デジタルカメラ１０は、さらに、少なくとも部分的に入力コントロール２２とディスプレイ２４とによって画定されるユーザインタフェースを含む。入力コントロール２２は、デジタルカメラ１０を動作させるためのユーザコマンドを受入れるために使用され、ボタン、スイッチ、ダイアル、タッチスクリーン機能等を含むことができる。ディスプレイ２４は、カラー液晶ディスプレイ、ガスプラズマ放電ディスプレイ、電子発光ディスプレイ、電界放出ディスプレイなどを含むことができる。
【００１４】
通信インタフェース２６は、コンピュータまたはプリンタ等の外部装置（図示せず）と通信するハードウェアおよびソフトウェアを含む。デジタルカメラ１０の電源は、バッテリ、Ａ／Ｃアダプタ等の電源ユニット（図示せず）によって提供される。
【００１５】
図２は、本発明の例示的な実施形態によるデジタルカメラのメモリ２０に格納されるデジタル画像のための組織的構成を示す図である。図２は、画像がデジタルカメラのメモリにおいていかに編成され得るか、の正確な表現ではなく概念的な表現である。各デジタル画像は、単一デジタル画像か、またはデジタル画像のより大きいグループ（図示せず）に属する代表的なデジタル画像のいずれかであると考えられる。デジタル画像のグループは、バーストキャプチャモードで取込まれるデジタル画像の「バースト」、ビデオキャプチャモードで取込まれたビデオシーケンス、時間経過写真、またはユーザがグループとして定義した任意の個々のデジタル画像の集まりを含むことができる。
【００１６】
デジタル画像のデータは、絵のような（pictorial）タイプの画像データ以外であることもできる。たとえば、デジタル画像は、テキスト形式の指示かまたは、撮影された日付および時刻、画像番号、画像解像度、画像サイズ、Ｆストップ設定、シャッタスピード、絞り設定、フラッシュ状態または音声ファイル等、各々の格納されたデジタル画像に関連するメタデータを含んでもよい。さらに、デジタル画像は、通常、デジタルカメラが最初に閲覧モードになった時であり閲覧する画像が格納されていない場合にユーザが見るデフォルトビューである、「ツームストーン（tombstone）」画像（図示せず）を含むこともできる。ツームストーンは、通常、ユーザに提示される最初（または最後）のビューであり、画質、メモリ残量等の格納された画像に関連するテキスト形式の情報を含む。このため、「デジタル画像」という用語は、カメラが撮影した電子写真のみでなく、デジタルカメラがディスプレイに提示するいかなるタイプの情報をも包含する。
【００１７】
まだ図２を参照すると、画像１から画像Ｎまで連続して配置されることにより一連のデジタル画像を画定する、総量Ｎ個のデジタル画像を示す。上述したように、図２は、概念的表現であり、デジタル画像は、本発明の範囲および目的に影響を及ぼすことなくアレイまたは他の任意のフォーマットを含む任意の配置で、メモリに格納することができる。デジタル画像Ｉは、デジタルカメラのディスプレイに提示するために現在選択されている任意所与のデジタル画像または画像のセットを表す。デジタル画像Ｉは、中間でありデジタル画像Ｉ−１とデジタル画像Ｉ＋１とに隣接し、それにより、デジタル画像Ｉ＋１は連続する後のメモリロケーションにあり、デジタル画像Ｉ−１は連続する前のメモリロケーションにある。
【００１８】
したがって、連続という用語を、本明細書では、前方または後方のいずれかの連続として定義する。さらに、一連のデジタル画像の順序は、画像１〜Ｎが、各々が取込まれ格納された順序で配置されるため年代順であり得る。代替的に、当業者は、順序をユーザが強要するかまたは設定してもよく、もしくは、メモリサイズ、カメラ設定等によるソートルーチンに従って設定してもよい。
【００１９】
まだ図２を参照すると、以前は、ユーザは、完全なまたは個々の画像閲覧モードにある間に、１つのデジタル画像から次の隣接するデジタル画像に連続してスクロールしなければならなかった。今や、デジタルカメラが何百ものデジタル画像を記憶することができるので、各々のおよびすべてのデジタル画像にわたって連続してスクロールすることは、ユーザにとっていらだたしいものである可能性がある。デジタルカメラでは、閲覧のため各デジタル画像をアセンブルするために数秒間かかる可能性があるため、かかる制限は特に厄介である。このため、かかる連続において所望のデジタル画像に到達してそれを表示するためだけに、数分間かかる場合がある。
【００２０】
しかしながら、ここでは、所与の画像を個々に表示しその後「ホーム」ポジション（たとえば、長い連続における最初、最後または中間のデジタル画像）等の既知のまたは所定のロケーションに直接ジャンプすることが可能である。言換えれば、本発明のこの実施形態は、画像Ｉ＋１…Ｎ−１を通してスクロールする必要なしに、矢印２８に示すように、所与の格納された画像を表示した後所定のロケーションまたは画像Ｎに直接ジャンプして画像Ｎを表示する能力を提供する。このため、ユーザが目下デジタル画像Ｉを閲覧しており迅速かつ直接的にツームストーン、最初または最後のデジタル画像にジャンプしたい場合、ここでは、後に詳細に説明するようにボタンのワンタッチでそれを行うことができる。
【００２１】
ここで図３を参照すると、入力コントロール２２とディスプレイ２４とによって決まる、本発明の例示的な実施形態によるデジタルカメラのユーザインタフェースが示されている。デジタルカメラは、通常、図示するもの以外のユーザインタフェース要素を含むが、本発明のこの実施形態に関するもののみを図３に示す。ユーザインタフェースをデジタルカメラ１０の背面３０に配置してもよいが、ユーザインタフェースが、上面、側面および正面（図示せず）等、デジタルカメラ１０のあらゆる場所に位置する部分を有することができる、と考えられる。さらに、ディスプレイ２４は、別個の枢支可能に取付けられた要素であっても取外し可能な要素であってもよい、と考えられる。
【００２２】
ディスプレイ２４は、格納されたデジタル画像、テキスト、アイコンおよびアニメーションを含む情報をユーザに対する出力として通信する手段である。言換えれば、ディスプレイ２４は、メモリに格納されたデジタル画像を電子ビットフォーマットから可視フォーマットに変換する。このため、本明細書で使用するデジタル画像という用語は、デジタル情報のセットと、そのデジタル情報のセットを使用してディスプレイ装置において生成される光学画像と、の両方を指す。たとえば、起動モードでは、ディスプレイ２４は、カメラロゴまたはカメラ状態情報の閲覧を可能にする。メニューモードでは、ディスプレイ２４は、カメラメニューの閲覧を可能にする。取込モードでは、ディスプレイ２４は、フォトセンサから流出するライブデジタル画像の閲覧を可能にする。最後に、閲覧モードでは、ディスプレイ２４は、デジタル画像Ｉによって表すように、プロセッサによって指示されたときにメモリから転送される格納されたデジタル画像の閲覧を可能にする。ディスプレイ２４により、一度に１つの個別のデジタル画像を閲覧することができてもよく、あるいは縮小された「サムネイル」デジタル画像のグループを同時に閲覧することができてもよく、もしくはその両方ができてもよい。
【００２３】
入力コントロールには、電源ボタン３２と、モードまたは閲覧ボタン３４と、ナビゲーションコントロール３６と、を含むことができる。電源ボタン３２は、デジタルカメラ１０をオン・オフするために押下可能である。閲覧ボタン３４は、メニューモード、取込モードおよび閲覧モード等、デジタルカメラ１０の異なるモード間を切替えるために押下可能である。
【００２４】
閲覧ボタン３４を押下することによって、デジタルカメラ１０が閲覧モードになると、図２に示すようなメモリに格納されたデジタル画像間でナビゲートするためか、もしくはデジタル画像Ｉまたはその一部を拡大または縮小するために現在表示されているデジタル画像Ｉをズームインおよびズームアウトするなどのために、少なくとも２つの代替的な目的のために、ナビゲーションコントロール３６が使用される。ナビゲーションコントロール３６は、左コントロール３８と右コントロール４０とからなる一対の対向する水平モードを有することができ、上コントロール４２と下コントロール４４とからなる一対の対向する垂直モードをさらに有する。ナビゲーションコントロール３６は、その中心部４６が押下される場合の「選択」機能機構またはコントロールをさらに含んでもよい。したがって、この実施形態では、ナビゲーションコントロール３６を、５ウェイロッカースイッチとすることができる。また、ナビゲーションコントロール３６を、別個の選択制御ボタンを有する４ウェイロッカースイッチ、２つの別個の水平・垂直コントロールおよび選択制御ボタン、もしくは５つの別々の上、下、右、左および選択制御ボタンを含む、代替構成のうちの少なくとも１つとすることも可能である。さらに、当業者は、ナビゲーションコントロール３６が、さらにまたは代替的に、本発明の範囲または目的に影響を与えることなく、サムホイール、ダイアル、ボタン、スイッチ等の任意の組合せを含むことができる、ということを認めるであろう。
【００２５】
図４Ａおよび図４Ｂは、まとめて、図２の組織的メモリ構成と図１および図３のデジタルカメラとに対応することができる、本発明の例示的な実施形態による方法１００を示す。当業者は、方法１００を、種々の異なるソフトウェアおよびハードウェアを使用して実施することができ、方法１００は本明細書で説明する装置に限定されない、ということを認めるであろう。したがって、図４は、所与のデジタル画像の表示からメモリに格納されている別の所定のデジタル画像への不連続なジャンプを実施するジャンプ命令を実行する、デジタルカメラのプログラムコードの一部を詳述する機能フローチャートである。
【００２６】
ユーザがモードボタンを起動または押下すると、１１０において、プログラムコードは、閲覧モードが選択されているか否かを問合せる。選択されていない場合、１１２において、ナビゲーションボタンがメニューナビゲーション等の何らかの目的のためにプログラムされる。選択されている場合、１１４において、プログラムコードは、メモリにデジタル画像が格納されているか否かを問合せる。格納されていない場合、１１６において、デジタルカメラは、ディスプレイにツームストーンを提示する。格納されている場合、１１８において、任意の所与のデジタル画像を提示することができる。表示されるデジタル画像は、最近取込まれたデジタル画像、所定のデジタル画像、以前閲覧された画像等であってもよい。
【００２７】
デジタルカメラの左および右ナビゲーションボタンは、１２０においていずれかが押下された場合に、１２２において隣接する画像Ｉ−１またはＩ＋１をデジタルカメラが各々提示するように、プログラムされる。対照的に、上および下ナビゲーションボタンは、いずれかが押下された場合に、プログラムコード内のあるジャンプルーチンが起動されるように、プログラムされる。たとえば、１２４において上ボタンが一度押下されると、１２６において、デジタルカメラは、Ｎ個の格納されたデジタル画像のうちの最初のものを表示する。代替的に、１２４において上ボタンが一度押下されると、１２８において、デジタルカメラはツームストーン画像を表示することができる。同様に、１３０において下ボタンが一度押下されると、１３２において、デジタルカメラはＮ個の格納されたデジタル画像のうちの最後のものを表示する。代替的に、１３０において下ボタンが一度押下されると、１３４において、デジタルカメラはツームストーン画像を表示することができる。したがって、上または下ボタンを押下することにより、現在表示されている画像から最初の画像、最後の画像、またはツームストーンデジタル画像までジャンプするプログラムコードが起動される。代替的に、プログラムコードを、一続きの格納された画像における中間画像等、任意の所定の格納されたデジタル画像かまたはユーザが指定する格納された画像にジャンプするように書くことができる、と考えられる。
【００２８】
本発明の方法の他の実施形態では、上または下ボタンを一度押下すると基本メタデータ（画像番号、Ｆストップ設定および絞り設定等）が表示されること、上または下ボタンを迅速に２度押しするかまたはダブルクリックすることにより、拡張メタデータ（フラッシュガイド、焦点距離等）が表示されること、が考えられる。
【００２９】
視覚的支援として、上または下ボタンを押下することによりジャンプルーチンが起動されると、カメラは一時的に、たとえば画像ＩからＮ個の画像のうちの最初のものにジャンプされた、ということを示すテキストメッセージを、画像の上に表示する。テキストメッセージは、一時的に、たとえば２〜３秒間表示され、その後ビューから消え始める。かかるテキストメッセージは、ユーザが不注意に上または下ボタンを押下した場合、ユーザに対し事情を提供する。このように、デジタルカメラは、ユーザに対しカメラがいかに動作するかを受動的にではあるが効果的に「教示」する。
【００３０】
１２６または１３２において各々Ｎ個の格納されたデジタル画像の最初のものまたは最後のものが表示されると、ユーザは、元の表示画像に再びジャンプするよう欲する場合がある。したがって、プログラムコードは、ジャンプ先画像から元の表示画像に戻る命令を含む。したがって、１３６において上ボタンが押下されると、１３８においてデジタルカメラは、Ｎ個の画像のうちの最初のものからジャンプし、元の表示デジタル画像を再表示する。同様に、１４０において下ボタンが押下されると、１４２においてデジタルカメラは、Ｎ個の画像のうちの最後のものからジャンプし、画像Ｉを再表示する。さらに、１４４において左または右ボタンが押下されると、１４６においてデジタルカメラは、Ｎ個の画像のうちの最初または最後のものに隣接するデジタル画像を表示する。
【００３１】
図５Ａおよび図５Ｂは、まとめて、図２の組織的メモリ構成と図１および図３のデジタルカメラとに対応する、本発明の他の例示的な実施形態による他の方法２００を示す。当業者は、方法２００を、種々の異なるソフトウェアおよびハードウェアを使用して実施することができ、方法２００は本明細書で説明する装置に限定されない、ということを認めるであろう。したがって、図５Ａおよび図５Ｂは、所与のデジタル画像またはその一部のズーミング（拡大または縮小）を実施するズーム命令に関する、デジタルカメラのプログラムコードの一部を詳述する機能フローチャートを構成する。
【００３２】
ユーザは、２１０においてモードボタンを押下することにより閲覧モードを起動する。その時、２１２において、プログラムコードは、メモリにデジタル画像が格納されているか否かを問合せる。格納されていない場合、２１４において、デジタルカメラは、たとえばツームストーン画像を表示することができる。格納されている場合、２１６において、任意の所与のデジタル画像Ｉを提示することができる。デジタル画像Ｉは、最近取込まれたデジタル画像、所定のデジタル画像等であり得る。左および右ナビゲーションボタンは、２１８において押下されると、２２０においてデジタルカメラが隣接する画像Ｉ−１またはＩ＋１を各々提示するように、プログラムされる。
【００３３】
対照的に、上および下ナビゲーションボタンは、押下されると、プログラムコード内のズーム命令が起動されるようにプログラムされる。たとえば、２２２において上ボタンが一度押下されると、２２４において、デジタルカメラは、１レベルズームインするかまたはデジタル画像Ｉの一部を拡大する。同様に、２２６において下ボタンが一度押下されると、２２８において、デジタルカメラは、１レベルズームアウトするかまたは格納されたデジタル画像Ｉまたはその一部を縮小する。ズームインステップ２２４から、ユーザは、２３０において上ボタンを押下することにより２３２においてデジタルカメラに対し再びズームインするよう命令することもできる。ステップ２２４からズームバックするために、ユーザは２３８において下ボタンを押下することができ、それに応じてデジタルカメラは、２４０において１レベルズームバックする。同様に、ズームアウトステップ２２８から、ユーザは、２３４において下ボタンを再度押下することにより２３６においてデジタルカメラに対し再びズームアウトするよう命令することができる。ステップ２２８からズームバックするために、ユーザは２４２において上ボタンを押下してもよく、それに応じてデジタルカメラは、２４４において１レベルズームバックする。これらのステップを、何度でも、任意の所望の組合せでデジタルカメラの解像度能力の程度まで、繰返すことができる。
【００３４】
上または下ボタンを押下することによりズームモードが呼び出されると、左または右ボタンを押下することにより、閲覧モード内の機能性のスクロールが開始する。したがって、その後、ユーザは、ナビゲーションコントロールを使用して現在表示されている画像をパンすることができる。ズームモードを再起動するために、ユーザは、５ウェイロッカースイッチの選択制御ボタンを押下するために、ナビゲーションコントロールを垂直に下に押下するだけでよい。したがって、ユーザは、要求に応じて再度ズームインまたはズームアウトすることができる。
【００３５】
このように、説明したことは、直観的でありかつユーザフレンドリである、多数の格納されたデジタル画像間でナビゲートする簡単な装置および手順である。以前は、個々に表示された画像を閲覧しながら、ユーザは、１つの画像から１つまたは複数の他の画像にわたって所望の画像または既知の位置まで連続してスクロールしなければならなかった。開示した装置および方法論を使用することにより、ユーザは、ナビゲーションコントロールに触れることによって、所与の表示画像から既知の場所または所定画像まで直接ジャンプし、その後ナビゲーションコントロールにさらに触れることにより、所与の表示画像に直接戻るかまたはジャンプ先画像からスクロールを続けることができる。ナビゲーションコントロールに対する機能的拡張として、ナビゲーションコントロールを所与のデジタル画像上でズームインまたはズームアウトするように押下することができるようにする手段もまた、開示している。
【図面の簡単な説明】
【００３６】
【図１】本発明の例示的な実施形態によるデジタルカメラのブロック図。
【図２】本発明の例示的な実施形態によるデジタルカメラのメモリに格納されたデジタル画像のための組織的構成の図。
【図３】本発明の例示的な実施形態によるデジタルカメラユーザインタフェースの図。
【図４Ａ】本発明の例示的な実施形態によるデジタルカメラのユーザインタフェースの動作のフローチャート。
【図４Ｂ】本発明の例示的な実施形態によるデジタルカメラのユーザインタフェースの動作のフローチャート。
【図５Ａ】本発明の他の例示的な実施形態によるデジタルカメラのユーザインタフェースのフローチャート。
【図５Ｂ】本発明の他の例示的な実施形態によるデジタルカメラのユーザインタフェースのフローチャート。
【図１】
2004153832.tif 000003
【図２】
2004153832.tif 000004
【図３】
2004153832.tif 000005
【図４Ａ】
2004153832.tif 000006
【図４Ｂ】
2004153832.tif 000007
【図５Ａ】
2004153832.tif 000008
【図５Ｂ】
2004153832.tif 000009